【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
遊園地のための装置であって、
軌道上に位置決めされ、運動を該軌道に沿って誘導するように構成されたボギー台車システムと、
前記ボギー台車システムから半径方向外向きに延び、該ボギー台車システムの本体に回転可能に結合されたアームと、
乗客を運ぶように構成され、かつ前記アーム上に位置決めされた車両と、
を含み、
前記ボギー台車システムは、前記軌道に沿って作動方向に移動するように構成され、前記車両は、該ボギー台車システムの周りに回転して該ボギー台車システムに対する該車両の位置を変更するように構成され、前記車両は、前記アームの長さに沿って半径方向に移動するように構成される、
ことを特徴とする装置。
【請求項２】
前記アームは、前記車両が該アームの前記長さに沿って半径方向に移動することを可能にするように構成されたローラ、入れ子式セグメント、調節可能な斜板、又はこれらの組み合わせを含むことを特徴とする請求項１に記載の装置。
【請求項３】
前記ボギー台車システムから半径方向外向きに延び、対応する車両が各アームに結合された複数の前記アームを含むことを特徴とする請求項１に記載の装置。
【請求項４】
前記対応する車両は、前記ボギー台車システムに対して互いから異なる場所に位置決めされることを特徴とする請求項３に記載の装置。
【請求項５】
前記複数の前記アームの各々が、前記ボギー台車システムの前記本体の回転軸線に対して互いからオフセットして位置決めされることを特徴とする請求項３に記載の装置。
【請求項６】
前記複数の前記アームの各々が、前記対応する車両間の接触を阻止するように構成された阻止デバイスを含むことを特徴とする請求項３に記載の装置。
【請求項７】
前記アームと前記軌道とに対する前記車両の位置を決定するように構成されたコントローラを含むことを特徴とする請求項１に記載の装置。
【請求項８】
前記アームの反対の方向に前記ボギー台車システムから半径方向外向きに延び、該ボギー台車システムの前記本体に回転可能に結合された平衡錘を含むことを特徴とする請求項１に記載の装置。
【請求項９】
追加のボギー台車システム、追加のアーム、及び追加の車両を含み、
前記追加のボギー台車システムは、前記ボギー台車システムに結合され、かつ前記軌道上に位置決めされ、
前記追加のアームは、前記追加のボギー台車システムから半径方向外向きに延び、
前記追加のアームは、前記追加のボギー台車システムの追加の本体に回転可能に結合され、
前記追加の車両は、前記追加のアーム上に位置決めされ、
前記追加のボギー台車システムは、前記軌道に沿って前記作動方向に移動するように構成され、前記追加の車両は、該ボギー台車システムの周りに回転して該ボギー台車システムに対する該追加の車両の追加の位置を変更するように構成される、
ことを特徴とする請求項１に記載の装置。
【請求項１０】
軌道上に位置決めされ、作動方向に該軌道に沿って移動するように構成されたボギー台車システムと、
前記ボギー台車システムから半径方向外向きに延びる複数のアームであって、該複数のアームの各アームが、該ボギー台車システムの本体に個々に回転可能に結合され、該複数のアームの各アームが、前記ボギー台車システムの周りで残りのアームに対して独立して回転するように構成された前記複数のアームと、
前記複数のアームのうちの対応するアーム上に各車両が位置決めされた複数の車両であって、前記ボギー台車システムが、前記作動方向に沿って該複数のアーム及び該複数の車両を一緒に移動するように構成され、該複数の車両の各車両が、該作動方向に関して異なる場所に位置決めされる前記複数の車両と、
を含むことを特徴とするシステム。
【請求項１１】
前記ボギー台車システムの前記本体の周りの前記複数のアームの各アームの回転を制御し、かつ前記対応するアームに沿った前記複数の車両の各車両の平行移動を制御するように構成されたコントローラを含むことを特徴とする請求項１０に記載のシステム。
【請求項１２】
前記コントローラにフィードバックを送るように構成された１又は２以上のセンサを含み、該フィードバックは、前記複数の車両の各車両の前記軌道に対するかつ該複数の車両のうちの他の車両に対するそれぞれの位置を示すことを特徴とする請求項１１に記載のシステム。
【請求項１３】
前記コントローラは、前記ボギー台車システムの前記本体に結合されたアクチュエータに第１の信号を送って該ボギー台車システムの該本体の周りに前記複数のアームを回転させるように構成され、
前記コントローラは、ローラに動力を供給するように構成された電気モータ、入れ子式セグメント、調節可能な斜板又はこれらの組み合わせに第２の信号を送って前記対応するアームに沿って前記車両の各車両を平行移動させるように構成される、
ことを特徴とする請求項１１に記載のシステム。
【請求項１４】
前記コントローラは、前記複数の車両が互いに接触することを阻止するように構成された仮想位置閾値を含むことを特徴とする請求項１１に記載のシステム。
【請求項１５】
前記コントローラは、それぞれの車両軸線の周りの前記複数の車両の各車両の回転を制御するように構成されることを特徴とする請求項１１に記載のシステム。
【請求項１６】
前記コントローラは、前記軌道に対する前記複数の車両の各車両のそれぞれの位置に基づいて前記それぞれの車両軸線の周りに該複数の車両の各車両を回転させるように構成されることを特徴とする請求項１５に記載のシステム。
【請求項１７】
遊園地のための装置であって、
軌道上に位置決めされ、運動を該軌道に沿って誘導するように構成された第１のボギー台車システムと、
前記第１のボギー台車システムから半径方向外向きに延び、該第１のボギー台車システムの第１の本体に回転可能に結合された第１のアームと、
乗客を運ぶように構成され、かつ前記第１のアーム上に位置決めされた第１の車両と、
を含み、
前記第１のボギー台車システムは、前記軌道に沿って作動方向に移動するように構成され、前記第１の車両は、該第１のボギー台車システムの周りに回転して該第１のボギー台車システムに対する該第１の車両の第１の位置を変更するように構成され、前記装置は、
前記第１のボギー台車システムに結合され、かつ前記軌道上に位置決めされた第２のボギー台車システムと、
前記第２のボギー台車システムから半径方向外向きに延び、該第２のボギー台車システムの第２の本体に回転可能に結合された第２のアームと、
前記第２のアーム上に位置決めされた第２の車両と、
をさらに含み、
前記第２のボギー台車システムは、前記軌道に沿って前記作動方向に移動するように構成され、前記第２の車両は、該第２のボギー台車システムの周りに回転して該第２のボギー台車システムに対する該第２の車両の第２の位置を変更するように構成される、
ことを特徴とする装置。
【請求項１８】
前記第１の車両、前記第２の車両、又はその両方は、前記軌道に沿って、前記作動方向に基づいて、車両軸線の周りに回転するように構成されることを特徴とする請求項１７に記載の装置。
【請求項１９】
前記第１の車両及び前記第２の車両は、前記第１のボギー台車システムの周りに独立して回転して前記第１の位置及び前記第２の位置をそれぞれ変更するように構成されることを特徴とする請求項１７に記載の装置。